(57)【要約】【課題】本発明は自発式呼吸マスクを開示した。【解決手段】マスクを含み、前記マスクの右端には頭紐が設けられ、前記マスクの右端には主動ブロックが設けられ、前記主動ブロックの中には排出チャンバが設けられ、前記排出チャンバの頂壁の中には吸込みチャンバが設けられ、前記吸込みチャンバの中には吸込み装置が設けられ、前記吸込み装置の右側には吸着装置が設けられ、前記吸込みチャンバの右壁の中には清掃チャンバが設けられ、前記清掃チャンバの頂壁と底壁との間には清掃装置が対称的に設けられ、底壁の前記清掃装置を例として詳しく説明する：前記清掃装置の中には制御装置が設けられ、本発明は構造が簡単で、操作が便利で、生産しやすく、マスクと口腔との間の空気を自発的に換気でき、空気の流通を保証し、また交換過程で静電気によって空気中の不純物を吸着し、空気質を保証し、使用と宣伝価値がある。【選択図】図１
2020153048.tif 000002
【特許請求の範囲】
【請求項１】
マスクを含み、前記マスクの右端には頭紐が設けられ、前記マスクの右端には主動ブロックが設けられ、前記主動ブロックの中には排出チャンバが設けられ、前記排出チャンバの頂壁の中には吸込みチャンバが設けられ、前記吸込みチャンバの中には吸込み装置が設けられ、前記吸込み装置の右側には吸着装置が設けられ、前記吸込みチャンバの右壁の中には清掃チャンバが設けられ、前記清掃チャンバの頂壁と底壁との間には清掃装置が対称的に設けられ、底壁の前記清掃装置を例として詳しく説明する：前記清掃装置の中には制御装置が設けられ、前記排出チャンバの中には排出装置が設けられ、前記排出チャンバの中には動力装置が設けられ、前記動力装置が前記排出チャンバの頂壁の中に設けられるモータを含み、前記排出チャンバの中には前記モータと伝動できるように接続される主軸が設けられ、前記主軸の底端には主歯車が設けられる；前記動力装置によって前記吸込み装置及び前記排出装置を回転連動させてマスクの内部の空気を換気できることを特徴とする自発式呼吸マスク。
【請求項２】
前記吸込み装置は前記排出チャンバの中に設けられる中軸を含み、前記中軸の外壁には中歯車が設けられ、前記中軸の頂端には正傘歯車が設けられ、前記吸込みチャンバの中には吸込み軸が設けられ、前記吸込み軸後端には上傘歯車が設けられ、前記吸込み軸の前端には吸込みファンが設けられ、前記吸着装置は前記吸込みチャンバの中に設けられる正板を含み、前記吸込みチャンバの上下両壁には負板が対称的に設けられ、前記排出チャンバの底端には電池が設けられ、前記正板が前記電池の正極と電気的に接続され、前記負板が前記電池の負極と電気的に接続される；前記吸込み装置によって空気を自発的に吸い込んで空気中の不純物を吸着して空気を浄化できることを特徴とする請求項１に記載の自発式呼吸マスク。
【請求項３】
前記排出装置は前記排出チャンバの中に設置される左軸を含み、前記左軸の前端には下傘歯車が設けられ、前記左軸の後端には左プーリが設けられ、前記中軸の底端には前記下傘歯車と噛み合う反傘歯車が設けられ、前記排出チャンバの中には排出軸が設けられ、前記排出軸の後端には右プーリが設けられ、前記右プーリと前記左プーリの間にはベルトが伝動できるように設けられ、前記排出軸の前端には排出ファンが設けられる；前記排出装置と前記吸込み装置及びマスクと口腔の間の空間は通路を形成し、マクス内の空気の流通を保証することを特徴とする請求項１に記載の自発式呼吸マスク。
【請求項４】
前記清掃装置は上壁と底壁には前記吸込みチャンバの中に対称的に設けられる清掃ロッドを含み、前記清掃チャンバの中には右軸が設けられ、前記右軸のうち前記吸込みチャンバに近接している側には従傘歯車が設けられ、前記右軸の外壁には下鎖歯車が設けられ、前記右軸と前記清掃チャンバとのうち前記吸込みチャンバから離れている側の壁の間には力蓄え撥条が弾性的に設けられ、前記清掃チャンバの中には上鎖歯車が設けられ、前記上鎖歯車と前記下鎖歯車の間にはチェーンが伝動できるように設けられ、前記チェーンの頂端には接続ブロックが固定的に設けられ、前記接続ブロックと前記清掃ロッドが固定的に接続され、前記清掃ロッドと前記排出装置が通路によって接続され、前記清掃チャンバの中には従動軸が設けられ、前記従動軸の右端には前記従傘歯車と噛み合う右傘歯車が設けられ、前記排出チャンバの中には主動軸が設けられ、前記主動軸の左端には左傘歯車が設けられ、前記排出チャンバの中には伝動軸が設けられ、前記伝動軸の外壁には前記中歯車と噛み合う伝動歯車が設けられ、前記伝動軸の底端には前記左傘歯車と噛み合う主傘歯車が設けられる；前記清掃装置が前記負板の埃と不純物を吸い込むことができ、前記吸着装置の吸着効果を保証することを特徴とする請求項３に記載の自発式呼吸マスク。
【請求項５】
前記制御装置は前記排出チャンバの頂壁の中に設けられる制御チャンバを含み、前記制御チャンバの中には回転軸がスライドできるように設けられ、前記回転軸と前記従動軸及び前記主動軸とがスプラインによって係合接続され、前記回転軸の外壁には嵌めロッドが設けられ、前記制御チャンバの右壁の中にはスライド溝が設けられ、前記スライド溝の中には永久磁石が設けられ、前記永久磁石が前記嵌めロッドと固定的に接続され、前記スライド溝の右壁の中には電磁石が設けられ、前記電磁石と前記永久磁石との間には復帰撥条が弾性的に接続される；前記制御装置によって前記清掃装置の作動状態を制御できることを特徴とする請求項４に記載の自発式呼吸マスク。
【発明の詳細な説明】
【技術分野】
【０００１】
本発明は生活用品分野に関し、具体的には自発式呼吸マスクである。
【背景技術】
【０００２】
現在、火力発電やごみ処理等を原因にして、空気質がますます悪くなり、出かける時マスクを付けるようになった；しかし、現有のマスクのほとんどは受動的で、人力によって空気を吸い、それにマスク内は封じた空間を形成するので空気の流動性が悪く、呼吸しにくく、つけ心地も快適とは言えなく、そのため、空気浄化度が高い主動式呼吸マスクを提供するのは本発明の目的である。
【先行技術文献】
【特許文献】
【０００３】
【特許文献１】中国特許出願公開第106512246号明細書
【発明の概要】
【発明が解決しようとする課題】
【０００４】
本発明の目的は自発式呼吸マスクを提供し、それは上記の現在の技術中の問題を解決できる。
【課題を解決するための手段】
【０００５】
本発明は以下の技術プランを通じて実現する：本発明の主動式呼吸マスクは、マスクを含み、前記マスクの右端には頭紐が設けられ、前記マスクの右端には主動ブロックが設けられ、前記主動ブロックの中には排出チャンバが設けられ、前記排出チャンバの頂壁の中には吸込みチャンバが設けられ、前記吸込みチャンバの中には吸込み装置が設けられ、前記吸込み装置の右側には吸着装置が設けられ、前記吸込みチャンバの右壁の中には清掃チャンバが設けられ、前記清掃チャンバの頂壁と底壁との間には清掃装置が対称的に設けられ、底壁の前記清掃装置を例として詳しく説明する：前記清掃装置の中には制御装置が設けられ、前記排出チャンバの中には排出装置が設けられ、前記排出チャンバの中には動力装置が設けられ、前記動力装置が前記排出チャンバの頂壁の中に設けられるモータを含み、前記排出チャンバの中には前記モータと伝動できるように接続される主軸が設けられ、前記主軸の底端には主歯車が設けられる；前記動力装置によって前記吸込み装置及び前記排出装置を回転連動させてマスクの内部の空気を換気できる。
【０００６】
優選的には、前記吸込み装置は前記排出チャンバの中に設けられる中軸を含み、前記中軸の外壁には中歯車が設けられ、前記中軸の頂端には正傘歯車が設けられ、前記吸込みチャンバの中には吸込み軸が設けられ、前記吸込み軸後端には上傘歯車が設けられ、前記吸込み軸の前端には吸込みファンが設けられ、前記吸着装置は前記吸込みチャンバの中に設けられる正板を含み、前記吸込みチャンバの上下両壁には負板が対称的に設けられ、前記排出チャンバの底端には電池が設けられ、前記正板が前記電池の正極と電気的に接続され、前記負板が前記電池の負極と電気的に接続される；前記吸込み装置によって空気を自発的に吸い込んで空気中の不純物を吸着して空気を浄化できる。
【０００７】
優選的には、前記排出装置は前記排出チャンバの中に設置される左軸を含み、前記左軸の前端には下傘歯車が設けられ、前記左軸の後端には左プーリが設けられ、前記中軸の底端には前記下傘歯車と噛み合う反傘歯車が設けられ、前記排出チャンバの中には排出軸が設けられ、前記排出軸の後端には右プーリが設けられ、前記右プーリと前記左プーリの間にはベルトが伝動できるように設けられ、前記排出軸の前端には排出ファンが設けられる；前記排出装置と前記吸込み装置及びマスクと口腔の間の空間は通路を形成し、マクス内の空気の流通を保証する。
【０００８】
優選的には、前記清掃装置は上壁と底壁には前記吸込みチャンバの中に対称的に設けられる清掃ロッドを含み、前記清掃チャンバの中には右軸が設けられ、前記右軸のうち前記吸込みチャンバに近接している側には従傘歯車が設けられ、前記右軸の外壁には下鎖歯車が設けられ、前記右軸と前記清掃チャンバとのうち前記吸込みチャンバから離れている側の壁の間には力蓄え撥条が弾性的に設けられ、前記清掃チャンバの中には上鎖歯車が設けられ、前記上鎖歯車と前記下鎖歯車の間にはチェーンが伝動できるように設けられ、前記チェーンの頂端には接続ブロックが固定的に設けられ、前記接続ブロックと前記清掃ロッドが固定的に接続され、前記清掃ロッドと前記排出装置が通路によって接続され、前記清掃チャンバの中には従動軸が設けられ、前記従動軸の右端には前記従傘歯車と噛み合う右傘歯車が設けられ、前記排出チャンバの中には主動軸が設けられ、前記主動軸の左端には左傘歯車が設けられ、前記排出チャンバの中には伝動軸が設けられ、前記伝動軸の外壁には前記中歯車と噛み合う伝動歯車が設けられ、前記伝動軸の底端には前記左傘歯車と噛み合う主傘歯車が設けられる；前記清掃装置が前記負板の埃と不純物を吸い込むことができ、前記吸着装置の吸着効果を保証する。
【０００９】
優選的には、前記制御装置は前記排出チャンバの頂壁の中に設けられる制御チャンバを含み、前記制御チャンバの中には回転軸がスライドできるように設けられ、前記回転軸と前記従動軸及び前記主動軸とがスプラインによって係合接続され、前記回転軸の外壁には嵌めロッドが設けられ、前記制御チャンバの右壁の中にはスライド溝が設けられ、前記スライド溝の中には永久磁石が設けられ、前記永久磁石が前記嵌めロッドと固定的に接続され、前記スライド溝の右壁の中には電磁石が設けられ、前記電磁石と前記永久磁石との間には復帰撥条が弾性的に接続される；前記制御装置によって前記清掃装置の作動状態を制御できる。
【発明の効果】
【００１０】
本発明の有益効果は：本発明は構造が簡単で、操作が便利で、生産しやすく、マスクと口腔との間の空気を自発的に換気でき、空気の流通を保証し、また交換過程で静電気によって空気中の不純物を吸着し、空気質を保証し、使用と宣伝価値がある。
【図面の簡単な説明】
【００１１】
説明しやすいため、本発明は以下の具体的な実施例と付図を交え詳しく説明する。
【００１２】
【図１】図１は本発明の自発式呼吸マスクの全体構成略図である；
【図２】図２は図１のＡの構成略図である；
【図３】図３は図１のＢの構成略図である。
【図４】図４は図１のＣ−Ｃの構成略図である。
【発明を実施するための形態】
【００１３】
下記に図１−４を合わせて本発明を詳しく説明し、意思の疎通をもっと便利にすることができるため、後文に出る方位を下記の通りに規定する：下記に述べた上下左右前後の方向は図１自体の投影関係の上下左右前後の方向と一致している。
【００１４】
図１−４が示すように、本発明の主動式呼吸マスクは、マスク１２を含み、前記マスク１２の右端には頭紐１１が設けられ、前記マスク１２の右端には主動ブロック１３が設けられ、前記主動ブロック１３の中には排出チャンバ３０が設けられ、前記排出チャンバ３０の頂壁の中には吸込みチャンバ１４が設けられ、前記吸込みチャンバ１４の中には吸込み装置１００が設けられ、前記吸込み装置１００の右側には吸着装置２００が設けられ、前記吸込みチャンバ１４の右壁の中には清掃チャンバ３６が設けられ、前記清掃チャンバ３６の頂壁と底壁との間には清掃装置３００が対称的に設けられ、底壁の前記清掃装置３００を例として詳しく説明する：前記清掃装置３００の中には制御装置４００が設けられ、前記排出チャンバ３００の中には排出装置５００が設けられ、前記排出チャンバ３０の中には動力装置６００が設けられ、前記動力装置６００が前記排出チャンバ３００の頂壁の中に設けられるモータ２０を含み、前記排出チャンバ３０の中には前記モータ２０と伝動できるように接続される主軸２１が設けられ、前記主軸２１の底端には主歯車２２が設けられる；前記動力装置６００によって前記吸込み装置１００及び前記排出装置５００を回転連動させてマスクの内部の空気を換気できる。
【００１５】
有益的には、前記吸込み装置１００は前記排出チャンバ３０の中に設けられる中軸１９を含み、前記中軸１９の外壁には中歯車２４が設けられ、前記中軸１９の頂端には正傘歯車１８が設けられ、前記吸込みチャンバ１４の中には吸込み軸１６が設けられ、前記吸込み軸１６後端には上傘歯車１７が設けられ、前記吸込み軸１６の前端には吸込みファン１５が設けられ、前記吸着装置は前記吸込みチャンバ１４の中に設けられる正板４５を含み、前記吸込みチャンバ１４の上下両壁には負板４３が対称的に設けられ、前記排出チャンバ３０の底端には電池２３が設けられ、前記正板４５が前記電池２３の正極と電気的に接続され、前記負板４３が前記電池２３の負極と電気的に接続される；前記吸込み装置１００によって空気を自発的に吸い込んで空気中の不純物を吸着して空気を浄化できる。
【００１６】
有益的には、前記排出装置５００は前記排出チャンバ３０の中に設置される左軸２７を含み、前記左軸２７の前端には下傘歯車２６が設けられ、前記左軸２７の後端には左プーリ２８が設けられ、前記中軸１９の底端には前記下傘歯車２６と噛み合う反傘歯車２５が設けられ、前記排出チャンバ３０の中には排出軸３３が設けられ、前記排出軸３３の後端には右プーリ３２が設けられ、前記右プーリ３２と前記左プーリ２８の間にはベルト２９が伝動できるように設けられ、前記排出軸３３の前端には排出ファン３１が設けられる；前記排出装置５００と前記吸込み装置１００及びマスクと口腔の間の空間は通路を形成し、マクス内の空気の流通を保証する。
【００１７】
有益的には、前記清掃装置３００は上壁と底壁には前記吸込みチャンバ１４の中に対称的に設けられる清掃ロッド４２を含み、前記清掃チャンバ３６の中には右軸３８が設けられ、前記右軸３８のうち前記吸込みチャンバ１４に近接している側には従傘歯車４０が設けられ、前記右軸３８の外壁には下鎖歯車３９が設けられ、前記右軸３８と前記清掃チャンバ３６とのうち前記吸込みチャンバ１４から離れている側の壁の間には力蓄え撥条３７が弾性的に設けられ、前記清掃チャンバ３６の中には上鎖歯車４４が設けられ、前記上鎖歯車４４と前記下鎖歯車３９の間にはチェーン４１が伝動できるように設けられ、前記チェーン４１の頂端には接続ブロック５９が固定的に設けられ、前記接続ブロック５９と前記清掃ロッド４２が固定的に接続され、前記清掃ロッド４２と前記排出装置５００が通路によって接続され、前記清掃チャンバ３６の中には従動軸３４が設けられ、前記従動軸３４の右端には前記従傘歯車４０と噛み合う右傘歯車３５が設けられ、前記排出チャンバ３０の中には主動軸５０が設けられ、前記主動軸５０の左端には左傘歯車４９が設けられ、前記排出チャンバ３０の中には伝動軸４７が設けられ、前記伝動軸４７の外壁には前記中歯車２４と噛み合う伝動歯車４６が設けられ、前記伝動軸４７の底端には前記左傘歯車４９と噛み合う主傘歯車４８が設けられる；前記清掃装置３００が前記負板４３の埃と不純物を吸い込むことができ、前記吸着装置２００の吸着効果を保証する。
【００１８】
有益的には、前記制御装置４００は前記排出チャンバ３０の頂壁の中に設けられる制御チャンバ５１を含み、前記制御チャンバ５１の中には回転軸５２がスライドできるように設けられ、前記回転軸５２と前記従動軸３４及び前記主動軸５０とがスプラインによって係合接続され、前記回転軸５２の外壁には嵌めロッドが設けられ、前記制御チャンバ５１の右壁の中にはスライド溝５７が設けられ、前記スライド溝５７の中には永久磁石５５が設けられ、前記永久磁石５５が前記嵌めロッドと固定的に接続され、前記スライド溝５７の右壁の中には電磁石５６が設けられ、前記電磁石５６と前記永久磁石５５との間には復帰撥条５８が弾性的に接続される；前記制御装置４００によって前記清掃装置３００の作動状態を制御できる。
【００１９】
初期状態には、電磁石５６が停電し、回転軸５２が主動軸５０との係合状態から解放されている；
【００２０】
使用する時、モータ２０が作動して主軸２１によって主歯車２２を回転連動させ、更に中歯車２４と中軸１９によって反傘歯車１５と正傘歯車１８とを回転連動させ、正傘歯車１８が上傘歯車１７と吸込み軸１６によって吸込みファン１５を回転連動させて空気を吸込みチャンバ１４の中に吸込み、空気が正板４５と負板４３を経由して不純物を吸着されてマスク内に入り、使用者が息を吐く時、電磁石５６が通電して永久磁石５５と嵌めロッドによって回転軸５２を左にスライド連動させて主動軸５０と係合され、同時に、中歯車２４が伝動歯車４６と、伝動軸４７と、主傘歯車４８と、左傘歯車４９と、主動軸５０と、回転軸５２と、従動軸３４と、右傘歯車３５と、従傘歯車４０と、右軸３８と、下鎖歯車３９と、チェーン４１と、接続ブロック５９とによって清掃ロッド４２を連動させて右にスライドさせ、負板４３の表面の不純物を吸着して排出装置５００の中に送り、清掃ロッド４２が最右端にスライドする時、電磁石５６が停電し、力蓄え撥条３７の弾性エネルギーが解放され、下鎖歯車３９がチェーン４１と接続ブロック５９によって清掃ロッド４２を左にスライド連動させ、初期位置に戻り、それと同時に、反傘歯車２５が下傘歯車２６と、左軸２７と、左プーリ２８と、右プーリ３２と、排出軸３３とによって排出ファン３１を回転連動させ、マスク内の空気及び不純物を排出する。
【００２１】
本発明の有益効果は：本発明は構造が簡単で、操作が便利で、生産しやすく、マスクと口腔との間の空気を自発的に換気でき、空気の流通を保証し、また交換過程で静電気によって空気中の不純物を吸着し、空気質を保証し、使用と宣伝価値がある。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020153048.tif 000003
【図２】
2020153048.tif 000004
【図３】
2020153048.tif 000005
【図４】
2020153048.tif 000006
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
マスクを含み、前記マスクの左端には頭紐が設けられ、前記マスクの右端には主動ブロックが設けられ、前記主動ブロックの中には排出チャンバが設けられ、前記排出チャンバの頂壁の中には吸込みチャンバが設けられ、前記吸込みチャンバの中には吸込み装置が設けられ、前記吸込み装置の右側には吸着装置が設けられ、前記吸込みチャンバの右壁の中には清掃チャンバが設けられ、前記清掃チャンバの内壁の中には清掃装置が上下対称的に設けられ、前記清掃装置の中には制御装置が設けられ、前記排出チャンバの中には排出装置が設けられ、前記排出チャンバの中には動力装置が設けられ、前記動力装置が前記排出チャンバの頂壁の中に設けられるモータを含み、前記排出チャンバの中には前記モータと伝動できるように接続される主軸が設けられ、前記主軸の底端には主歯車が設けられており、
前記動力装置によって前記吸込み装置及び前記排出装置を回転連動させてマスクの内部の空気を換気できることを特徴とする自発式呼吸マスク。
【請求項２】
前記吸込み装置は前記排出チャンバの中に設けられる中軸を含み、前記中軸の外壁には中歯車が設けられ、前記中軸の頂端には正傘歯車が設けられ、前記吸込みチャンバの中には吸込み軸が設けられ、前記吸込み軸後端には上傘歯車が設けられ、前記吸込み軸の前端には吸込みファンが設けられ、前記吸着装置は前記吸込みチャンバの中に設けられる正板を含み、前記吸込みチャンバの上下両壁には負板が対称的に設けられ、前記排出チャンバの底端には電池が設けられ、前記正板が前記電池の正極と電気的に接続され、前記負板が前記電池の負極と電気的に接続されており、
前記吸込み装置によって空気を自発的に吸い込んで空気中の不純物を吸着して空気を浄化できることを特徴とする請求項１に記載の自発式呼吸マスク。
【請求項３】
前記排出装置は前記排出チャンバの中に設置される左軸を含み、前記左軸の前端には下傘歯車が設けられ、前記左軸の後端には左プーリが設けられ、前記中軸の底端には前記下傘歯車と噛み合う反傘歯車が設けられ、前記排出チャンバの中には排出軸が設けられ、前記排出軸の後端には右プーリが設けられ、前記右プーリと前記左プーリの間にはベルトが伝動できるように設けられ、前記排出軸の前端には排出ファンが設けられており、
前記排出装置と前記吸込み装置及びマスクと口腔の間の空間は通路を形成し、マクス内の空気の流通を保証することを特徴とする請求項１に記載の自発式呼吸マスク。
【請求項４】
前記清掃装置は上壁と底壁には前記吸込みチャンバの中に対称的に設けられる清掃ロッドを含み、前記清掃チャンバの中には右軸が設けられ、前記右軸のうち前記吸込みチャンバに近接している側には従傘歯車が設けられ、前記右軸の外壁には下鎖歯車が設けられ、前記右軸と前記清掃チャンバとのうち前記吸込みチャンバから離れている側の壁の間には力蓄え撥条が弾性的に設けられ、前記清掃チャンバの中には上鎖歯車が設けられ、前記上鎖歯車と前記下鎖歯車の間にはチェーンが伝動できるように設けられ、前記チェーンの頂端には接続ブロックが固定的に設けられ、前記接続ブロックと前記清掃ロッドが固定的に接続され、前記清掃ロッドには前記排出装置と連通した通路が設置され、前記清掃チャンバの中には従動軸が設けられ、前記従動軸の右端には前記従傘歯車と噛み合う右傘歯車が設けられ、前記排出チャンバの中には主動軸が設けられ、前記主動軸の左端には左傘歯車が設けられ、前記排出チャンバの中には伝動軸が設けられ、前記伝動軸の外壁には前記中歯車と噛み合う伝動歯車が設けられ、前記伝動軸の底端には前記左傘歯車と噛み合う主傘歯車が設けられていることを特徴とする請求項３に記載の自発式呼吸マスク。
【請求項５】
前記制御装置は前記排出チャンバの頂壁の中に設けられる制御チャンバを含み、前記制御チャンバの中には回転軸がスライドできるように設けられ、前記回転軸と前記従動軸及び前記主動軸とがスプラインによって係合接続され、前記回転軸の外壁には嵌めロッドが設けられ、前記制御チャンバの右壁の中にはスライド溝が設けられ、前記スライド溝の中には永久磁石が設けられ、前記永久磁石が前記嵌めロッドと固定的に接続され、前記スライド溝の右壁の中には電磁石が設けられ、前記電磁石と前記永久磁石との間には復帰撥条が弾性的に接続されており、
前記制御装置によって前記清掃装置の作動状態を制御できることを特徴とする請求項４に記載の自発式呼吸マスク。
【手続補正２】
【補正対象書類名】明細書
【補正対象項目名】全文
【補正方法】変更
【補正の内容】
【発明の詳細な説明】
【技術分野】
【０００１】
本発明は生活用品分野に関し、具体的には自発式呼吸マスクである。
【背景技術】
【０００２】
現在、火力発電やごみ処理等を原因にして、空気質がますます悪くなり、出かける時マスクを付けるようになった。しかし、現有のマスクのほとんどは受動的で、人力によって空気を吸い、それにマスク内は封じた空間を形成するので空気の流動性が悪く、呼吸しにくく、つけ心地も快適とは言えなく、そのため、空気浄化度が高い主動式呼吸マスクを提供するのは本発明の目的である。
【先行技術文献】
【特許文献】
【０００３】
【特許文献１】中国特許出願公開第106512246号明細書
【発明の概要】
【発明が解決しようとする課題】
【０００４】
本発明の目的は自発式呼吸マスクを提供し、それは上記の現在の技術中の問題を解決できる。
【課題を解決するための手段】
【０００５】
本発明は以下の技術プランを通じて実現する：本発明の主動式呼吸マスクは、マスクを含み、前記マスクの左端には頭紐が設けられ、前記マスクの右端には主動ブロックが設けられ、前記主動ブロックの中には排出チャンバが設けられ、前記排出チャンバの頂壁の中には吸込みチャンバが設けられ、前記吸込みチャンバの中には吸込み装置が設けられ、前記吸込み装置の右側には吸着装置が設けられ、前記吸込みチャンバの右壁の中には清掃チャンバが設けられ、前記清掃チャンバの内壁の中には清掃装置が上下対称的に設けられ、前記清掃装置の中には制御装置が設けられ、前記排出チャンバの中には排出装置が設けられ、前記排出チャンバの中には動力装置が設けられ、前記動力装置が前記排出チャンバの頂壁の中に設けられるモータを含み、前記排出チャンバの中には前記モータと伝動できるように接続される主軸が設けられ、前記主軸の底端には主歯車が設けられており、
前記動力装置によって前記吸込み装置及び前記排出装置を回転連動させてマスクの内部の空気を換気できる。
【０００６】
優選的には、前記吸込み装置は前記排出チャンバの中に設けられる中軸を含み、前記中軸の外壁には中歯車が設けられ、前記中軸の頂端には正傘歯車が設けられ、前記吸込みチャンバの中には吸込み軸が設けられ、前記吸込み軸後端には上傘歯車が設けられ、前記吸込み軸の前端には吸込みファンが設けられ、前記吸着装置は前記吸込みチャンバの中に設けられる正板を含み、前記吸込みチャンバの上下両壁には負板が対称的に設けられ、前記排出チャンバの底端には電池が設けられ、前記正板が前記電池の正極と電気的に接続され、前記負板が前記電池の負極と電気的に接続されており、
前記吸込み装置によって空気を自発的に吸い込んで空気中の不純物を吸着して空気を浄化できる。
【０００７】
優選的には、前記排出装置は前記排出チャンバの中に設置される左軸を含み、前記左軸の前端には下傘歯車が設けられ、前記左軸の後端には左プーリが設けられ、前記中軸の底端には前記下傘歯車と噛み合う反傘歯車が設けられ、前記排出チャンバの中には排出軸が設けられ、前記排出軸の後端には右プーリが設けられ、前記右プーリと前記左プーリの間にはベルトが伝動できるように設けられ、前記排出軸の前端には排出ファンが設けられており、
前記排出装置と前記吸込み装置及びマスクと口腔の間の空間は通路を形成し、マクス内の空気の流通を保証する。
【０００８】
優選的には、前記清掃装置は上壁と底壁には前記吸込みチャンバの中に対称的に設けられる清掃ロッドを含み、前記清掃チャンバの中には右軸が設けられ、前記右軸のうち前記吸込みチャンバに近接している側には従傘歯車が設けられ、前記右軸の外壁には下鎖歯車が設けられ、前記右軸と前記清掃チャンバとのうち前記吸込みチャンバから離れている側の壁の間には力蓄え撥条が弾性的に設けられ、前記清掃チャンバの中には上鎖歯車が設けられ、前記上鎖歯車と前記下鎖歯車の間にはチェーンが伝動できるように設けられ、前記チェーンの頂端には接続ブロックが固定的に設けられ、前記接続ブロックと前記清掃ロッドが固定的に接続され、前記清掃ロッドには前記排出装置と連通した通路が設置され、前記清掃チャンバの中には従動軸が設けられ、前記従動軸の右端には前記従傘歯車と噛み合う右傘歯車が設けられ、前記排出チャンバの中には主動軸が設けられ、前記主動軸の左端には左傘歯車が設けられ、前記排出チャンバの中には伝動軸が設けられ、前記伝動軸の外壁には前記中歯車と噛み合う伝動歯車が設けられ、前記伝動軸の底端には前記左傘歯車と噛み合う主傘歯車が設けられている。
【０００９】
優選的には、前記制御装置は前記排出チャンバの頂壁の中に設けられる制御チャンバを含み、前記制御チャンバの中には回転軸がスライドできるように設けられ、前記回転軸と前記従動軸及び前記主動軸とがスプラインによって係合接続され、前記回転軸の外壁には嵌めロッドが設けられ、前記制御チャンバの右壁の中にはスライド溝が設けられ、前記スライド溝の中には永久磁石が設けられ、前記永久磁石が前記嵌めロッドと固定的に接続され、前記スライド溝の右壁の中には電磁石が設けられ、前記電磁石と前記永久磁石との間には復帰撥条が弾性的に接続されており、
前記制御装置によって前記清掃装置の作動状態を制御できる。
【発明の効果】
【００１０】
本発明の有益効果は：本発明は構造が簡単で、操作が便利で、生産しやすく、マスクと口腔との間の空気を自発的に換気でき、空気の流通を保証し、また交換過程で静電気によって空気中の不純物を吸着し、空気質を保証し、使用と宣伝価値がある。
【図面の簡単な説明】
【００１１】
説明しやすいため、本発明は以下の具体的な実施例と付図を交え詳しく説明する。
【００１２】
【図１】図１は本発明の自発式呼吸マスクの全体構成略図
【図２】図２は図１のＡの構成略図
【図３】図３は図１のＢの構成略図である。
【図４】図４は図１のＣ−Ｃの構成略図である。
【発明を実施するための形態】
【００１３】
下記に図１−４を合わせて本発明を詳しく説明し、意思の疎通をもっと便利にすることができるため、後文に出る方位を下記の通りに規定する：下記に述べた上下左右前後の方向は図１自体の投影関係の上下左右前後の方向と一致している。
【００１４】
図１−４が示すように、本発明の主動式呼吸マスクは、マスク１２を含み、前記マスク１２の左端には頭紐１１が設けられ、前記マスク１２の右端には主動ブロック１３が設けられ、前記主動ブロック１３の中には排出チャンバ３０が設けられ、前記排出チャンバ３０の頂壁の中には吸込みチャンバ１４が設けられ、前記吸込みチャンバ１４の中には吸込み装置１００が設けられ、前記吸込み装置１００の右側には吸着装置２００が設けられ、前記吸込みチャンバ１４の右壁の中には清掃チャンバ３６が設けられ、前記清掃チャンバ３６の内壁の中には清掃装置３００が上下対称的に設けられ、前記清掃装置３００の中には制御装置４００が設けられ、前記排出チャンバ３００の中には排出装置５００が設けられ、前記排出チャンバ３０の中には動力装置６００が設けられ、前記動力装置６００が前記排出チャンバ３００の頂壁の中に設けられるモータ２０を含み、前記排出チャンバ３０の中には前記モータ２０と伝動できるように接続される主軸２１が設けられ、前記主軸２１の底端には主歯車２２が設けられており、
前記動力装置６００によって前記吸込み装置１００及び前記排出装置５００を回転連動させてマスクの内部の空気を換気できる。
【００１５】
有益的には、前記吸込み装置１００は前記排出チャンバ３０の中に設けられる中軸１９を含み、前記中軸１９の外壁には中歯車２４が設けられ、前記中軸１９の頂端には正傘歯車１８が設けられ、前記吸込みチャンバ１４の中には吸込み軸１６が設けられ、前記吸込み軸１６後端には上傘歯車１７が設けられ、前記吸込み軸１６の前端には吸込みファン１５が設けられ、前記吸着装置は前記吸込みチャンバ１４の中に設けられる正板４５を含み、前記吸込みチャンバ１４の上下両壁には負板４３が対称的に設けられ、前記排出チャンバ３０の底端には電池２３が設けられ、前記正板４５が前記電池２３の正極と電気的に接続され、前記負板４３が前記電池２３の負極と電気的に接続されており、
前記吸込み装置１００によって空気を自発的に吸い込んで空気中の不純物を吸着して空気を浄化できる。
【００１６】
有益的には、前記排出装置５００は前記排出チャンバ３０の中に設置される左軸２７を含み、前記左軸２７の前端には下傘歯車２６が設けられ、前記左軸２７の後端には左プーリ２８が設けられ、前記中軸１９の底端には前記下傘歯車２６と噛み合う反傘歯車２５が設けられ、前記排出チャンバ３０の中には排出軸３３が設けられ、前記排出軸３３の後端には右プーリ３２が設けられ、前記右プーリ３２と前記左プーリ２８の間にはベルト２９が伝動できるように設けられ、前記排出軸３３の前端には排出ファン３１が設けられており、
前記排出装置５００と前記吸込み装置１００及びマスクと口腔の間の空間は通路を形成し、マクス内の空気の流通を保証する。
【００１７】
有益的には、前記清掃装置３００は上壁と底壁には前記吸込みチャンバ１４の中に対称的に設けられる清掃ロッド４２を含み、前記清掃チャンバ３６の中には右軸３８が設けられ、前記右軸３８のうち前記吸込みチャンバ１４に近接している側には従傘歯車４０が設けられ、前記右軸３８の外壁には下鎖歯車３９が設けられ、前記右軸３８と前記清掃チャンバ３６とのうち前記吸込みチャンバ１４から離れている側の壁の間には力蓄え撥条３７が弾性的に設けられ、前記清掃チャンバ３６の中には上鎖歯車４４が設けられ、前記上鎖歯車４４と前記下鎖歯車３９の間にはチェーン４１が伝動できるように設けられ、前記チェーン４１の頂端には接続ブロック５９が固定的に設けられ、前記接続ブロック５９と前記清掃ロッド４２が固定的に接続され、前記清掃ロッド４２には前記排出装置５００と連通した通路が設置され、前記清掃チャンバ３６の中には従動軸３４が設けられ、前記従動軸３４の右端には前記従傘歯車４０と噛み合う右傘歯車３５が設けられ、前記排出チャンバ３０の中には主動軸５０が設けられ、前記主動軸５０の左端には左傘歯車４９が設けられ、前記排出チャンバ３０の中には伝動軸４７が設けられ、前記伝動軸４７の外壁には前記中歯車２４と噛み合う伝動歯車４６が設けられ、前記伝動軸４７の底端には前記左傘歯車４９と噛み合う主傘歯車４８が設けられている。
【００１８】
有益的には、前記制御装置４００は前記排出チャンバ３０の頂壁の中に設けられる制御チャンバ５１を含み、前記制御チャンバ５１の中には回転軸５２がスライドできるように設けられ、前記回転軸５２と前記従動軸３４及び前記主動軸５０とがスプラインによって係合接続され、前記回転軸５２の外壁には嵌めロッドが設けられ、前記制御チャンバ５１の右壁の中にはスライド溝５７が設けられ、前記スライド溝５７の中には永久磁石５５が設けられ、前記永久磁石５５が前記嵌めロッドと固定的に接続され、前記スライド溝５７の右壁の中には電磁石５６が設けられ、前記電磁石５６と前記永久磁石５５との間には復帰撥条５８が弾性的に接続されており、
ており、
前記制御装置４００によって前記清掃装置３００の作動状態を制御できる。
【００１９】
初期状態には、電磁石５６が停電し、回転軸５２が主動軸５０との係合状態から解放されている。
【００２０】
使用する時、モータ２０が作動して主軸２１によって主歯車２２を回転連動させ、更に中歯車２４と中軸１９によって反傘歯車１５と正傘歯車１８とを回転連動させ、正傘歯車１８が上傘歯車１７と吸込み軸１６によって吸込みファン１５を回転連動させて空気を吸込みチャンバ１４の中に吸込み、空気が正板４５と負板４３を経由して不純物を吸着されてマスク内に入り、使用者が息を吐く時、電磁石５６が通電して永久磁石５５と嵌めロッドによって回転軸５２を左にスライド連動させて主動軸５０と係合され、同時に、中歯車２４が伝動歯車４６と、伝動軸４７と、主傘歯車４８と、左傘歯車４９と、主動軸５０と、回転軸５２と、従動軸３４と、右傘歯車３５と、従傘歯車４０と、右軸３８と、下鎖歯車３９と、チェーン４１と、接続ブロック５９とによって清掃ロッド４２を連動させて右にスライドさせ、負板４３の表面の不純物を吸着して排出装置５００の中に送り、清掃ロッド４２が最右端にスライドする時、電磁石５６が停電し、力蓄え撥条３７の弾性エネルギーが解放され、下鎖歯車３９がチェーン４１と接続ブロック５９によって清掃ロッド４２を左にスライド連動させ、初期位置に戻り、それと同時に、反傘歯車２５が下傘歯車２６と、左軸２７と、左プーリ２８と、右プーリ３２と、排出軸３３とによって排出ファン３１を回転連動させ、マスク内の空気及び不純物を排出する。
【００２１】
本発明の有益効果は：本発明は構造が簡単で、操作が便利で、生産しやすく、マスクと口腔との間の空気を自発的に換気でき、空気の流通を保証し、また交換過程で静電気によって空気中の不純物を吸着し、空気質を保証し、使用と宣伝価値がある。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。